【事件の表示】
　特願２００１−３０８８６３「ブロック共重合体組成物」拒絶査定不服審判事件〔平成１４年　７月１９日出願公開、特開２００２−２０１３３３〕について、次のとおり審決する。
【結　論】
　本件審判の請求は、成り立たない。
【理　由】
第１．手続の経緯
　本願は、平成１３年１０月４日（優先権主張　平成１２年１０月３０日）の出願であって、平成１８年２月２１日付けで拒絶理由が通知され、同年４月２８日に意見書及び手続補正書が提出されたが、平成１９年４月１８日付けで拒絶査定がなされた。これに対して、平成１９年５月２２日に審判請求書が提出され、同年６月２０日に手続補正書が提出され、同年７月１８日に審判請求書の手続補正書（方式）が提出され、同年１２月６日付けで前置報告がなされ、当審において平成２１年３月４日付けで審尋がなされ、同年５月１日に回答書が提出されたものである。
　
第２．平成１９年６月２０日付けの手続補正についての補正の却下の決定
１．補正の却下の決定の結論
　平成１９年６月２０日付けの手続補正を却下する。
　
２．理由
（１）補正事項
　平成１９年６月２０日付けの手続補正（以下、「本件補正」という。）は、平成１８年４月２８日付けで補正された明細書（以下、「本件補正前明細書」という。）をさらに補正するものであって、本件補正前明細書の特許請求の範囲の、
　「【請求項１】　（１）ビニル芳香族炭化水素を主体とする少なくとも１個の重合体ブロックＡと、共役ジエンを主体とする少なくとも１個の重合体ブロックＢからなり、ビニル芳香族炭化水素含有量が５〜９５ｗｔ％であるブロック共重合体又はその水添物１００質量部と、（２）シリカ系無機充填剤又は／及び金属酸化物０．５〜５０質量部からなるブロック共重合体組成物において、上記重合体ブロックＡ及び／又は重合体ブロックＢの末端に、エポキシ基、アミノ基、シラノール基、アルコキシシランから選ばれる官能基を少なくとも１個有する原子団が少なくとも１個結合していることを特徴とするブロック共重合体組成物。
　【請求項２】　上記（１）ブロック共重合体又はその水添物１００質量部に対して、（３）オレフィン系重合体１０〜５００質量部を含有することを特徴とする請求項１記載のブロック共重合体組成物。
　【請求項３】　上記（１）ブロック共重合体の水添物が、ビニル芳香族炭化水素を主体とする少なくとも１個の重合体ブロックＡと、共役ジエンを主体とする少なくとも１個の重合体ブロックＢからなり、ビニル芳香族炭化水素含有量が５〜９５ｗｔ％で、全ビニル芳香族炭化水素量の７０％以上が数平均分子量２万以上のビニル芳香族炭化水素単独重合体ブロックであり、かつ上記重合体ブロックＡ及び／又は重合体ブロックＢの末端に、エポキシ基、アミノ基、シラノール基、アルコキシシランから選ばれる官能基を少なくとも１個有する原子団が少なくとも１個結合しており、しかも共役ジエンに基づく構造単位（Ａ）〜（Ｅ）の構成単位数比が下記式（Ｉ）〜（ＩＩＩ）を満たすブロック共重合体の水添物であることを特徴とする請求項１又は請求項２記載のブロック共重合体組成物。
【化１】
　【請求項４】　上記重合体ブロックＡ及び／又は重合体ブロックＢに、下記から選ばれる官能基を少なくとも１個有する原子団が少なくとも１個結合していることを特徴とする請求項１〜３のいずれかに記載のブロック共重合体組成物。
【化２】
（上式で、Ｒ９、及びＲ１２〜Ｒ１４は、水素又は炭素数１〜２４の炭化水素基、あるいは水酸基、エポキシ基、シラノール基、アルコキシシランから選ばれる官能基を有する炭素数１〜２４の炭化水素基。Ｒ１０は炭素数１〜３０の炭化水素鎖、あるいは水酸基、エポキシ基、シラノール基、アルコキシシランから選ばれる官能基を有する炭素数１〜３０の炭化水素鎖。なおＲ９、及びＲ１２〜Ｒ１４の炭化水素基、及びＲ１０の炭化水素鎖中には、水酸基、エポキシ基、シラノール基、アルコキシシラン以外の結合様式で、酸素、窒素、シリコン等の元素が結合していても良い。Ｒ１５は炭素数１〜８のアルキル基。）
　【請求項５】　上記（２）シリカ系無機充填剤又は／及び金属酸化物が、シリカ、ウォラストナイト、モンモリロナイト、ゼオライト、アルミナ、酸化チタン、酸化マグネシウム、酸化亜鉛、スラッグウール、ガラス繊維等の無機繊維状物質から選ばれる少なくとも１種のシリカ系無機充填剤又は／及び金属酸化物であることを特徴とする請求項１〜４のいずれかに記載のブロック共重合体組成物。」
　との記載を、
　「【請求項１】　（１）ビニル芳香族炭化水素を主体とする少なくとも１個の重合体ブロックＡと、共役ジエンを主体とする少なくとも１個の重合体ブロックＢからなり、ビニル芳香族炭化水素含有量が５〜９５ｗｔ％であるブロック共重合体又はその水添物１００質量部と、（２）シリカ系無機充填剤０．５〜５０質量部からなるブロック共重合体組成物において、上記重合体ブロックＡ及び／又は重合体ブロックＢの末端に、エポキシ基、アミノ基、シラノール基、アルコキシシランから選ばれる官能基を少なくとも１個有する原子団が少なくとも１個結合していることを特徴とするブロック共重合体組成物。
　【請求項２】　上記（１）ブロック共重合体又はその水添物１００質量部に対して、（３）オレフィン系重合体１０〜５００質量部を含有することを特徴とする請求項１記載のブロック共重合体組成物。
　【請求項３】　上記（１）ブロック共重合体の水添物が、ビニル芳香族炭化水素を主体とする少なくとも１個の重合体ブロックＡと、共役ジエンを主体とする少なくとも１個の重合体ブロックＢからなり、ビニル芳香族炭化水素含有量が５〜９５ｗｔ％で、全ビニル芳香族炭化水素量の７０％以上が数平均分子量２万以上のビニル芳香族炭化水素単独重合体ブロックであり、かつ上記重合体ブロックＡ及び／又は重合体ブロックＢの末端に、エポキシ基、アミノ基、シラノール基、アルコキシシランから選ばれる官能基を少なくとも１個有する原子団が少なくとも１個結合しており、しかも共役ジエンに基づく構造単位（Ａ）〜（Ｅ）の構成単位数比が下記式（Ｉ）〜（ＩＩＩ）を満たすブロック共重合体の水添物であることを特徴とする請求項１又は請求項２記載のブロック共重合体組成物。
【化１】
（略）
　【請求項４】　上記重合体ブロックＡ及び／又は重合体ブロックＢに、下記から選ばれる官能基を少なくとも１個有する原子団が少なくとも１個結合していることを特徴とする請求項１〜３のいずれかに記載のブロック共重合体組成物。
【化２】
（略）
　【請求項５】　上記（２）シリカ系無機充填剤が、シリカ、ウォラストナイト、モンモリロナイト、ゼオライトの無機繊維状物質から選ばれる少なくとも１種のシリカ系無機充填剤であることを特徴とする請求項１〜４のいずれかに記載のブロック共重合体組成物。」
 とする補正を含むものである。
　
（２）補正の目的
　本件補正は、補正前の特許請求の範囲の請求項１に記載の「（２）シリカ系無機充填剤又は／及び金属酸化物」なる事項を「（２）シリカ系無機充填剤」とする補正事項と、同請求項５に記載の「上記（２）シリカ系無機充填剤又は／及び金属酸化物が、シリカ、ウォラストナイト、モンモリロナイト、ゼオライト、アルミナ、酸化チタン、酸化マグネシウム、酸化亜鉛、スラッグウール、ガラス繊維等の無機繊維状物質から選ばれる少なくとも１種のシリカ系無機充填剤又は／及び金属酸化物であること」なる事項を「上記（２）シリカ系無機充填剤が、シリカ、ウォラストナイト、モンモリロナイト、ゼオライトの無機繊維状物質から選ばれる少なくとも１種のシリカ系無機充填剤であること」とする補正事項とを含み、いずれも、補正前の前記各請求項に係る発明を特定するために必要な事項に係る択一的記載の要素の削除に該当するものであり、補正前の前記各請求項に係る発明を特定するために必要な事項を限定するものであるから、本件補正は、平成１８年法律第５５号改正附則第３条第１項によりなお従前の例によるとされる同法による改正前の特許法（以下、単に「特許法」という。）第１７条の２第４項第２号に掲げる特許請求の範囲の減縮を目的とする補正に該当する。
　
（３）独立特許要件
　そこで、本件補正が、特許法第１７条の２第５項において準用する同法第１２６条第５項の規定に適合するか否かについて、以下に検討する。
　
（３−１）本件補正後の特許請求の範囲の請求項２に係る発明
　本件補正は、上記（２）のとおり、補正前の請求項１に係る発明を特定するために必要な事項を限定するものを含み、特許請求の範囲の減縮を目的とするものに該当するものであるから、本件補正前後において、請求項１の記載をそのまま引用して記載する請求項２に記載された事項により特定される請求項２に係る発明についても、本件補正は、その補正前の発明を特定するために必要な事項を限定し、特許請求の範囲の減縮を目的とするものに該当するものと認められる。
　したがって、請求項２に係る発明について、いわゆる“独立特許要件”について検討する。
　本件補正後の特許請求の範囲の請求項２に係る発明（以下、「本件補正発明」という。）は、本件補正後の明細書（以下、「本件補正明細書」という。）の特許請求の範囲の請求項２に記載された事項によって特定されるものであるから、次のとおりのものである。
　「【請求項２】　上記（１）ブロック共重合体又はその水添物１００質量部に対して、（３）オレフィン系重合体１０〜５００質量部を含有することを特徴とする請求項１記載のブロック共重合体組成物。」
　ここで、請求項１記載のブロック共重合体組成物とは、本件補正明細書の特許請求の範囲の請求項１に記載された事項により特定される次のとおりのものである。
　「【請求項１】　（１）ビニル芳香族炭化水素を主体とする少なくとも１個の重合体ブロックＡと、共役ジエンを主体とする少なくとも１個の重合体ブロックＢからなり、ビニル芳香族炭化水素含有量が５〜９５ｗｔ％であるブロック共重合体又はその水添物１００質量部と、（２）シリカ系無機充填剤０．５〜５０質量部からなるブロック共重合体組成物において、上記重合体ブロックＡ及び／又は重合体ブロックＢの末端に、エポキシ基、アミノ基、シラノール基、アルコキシシランから選ばれる官能基を少なくとも１個有する原子団が少なくとも１個結合していることを特徴とするブロック共重合体組成物。」
　してみれば、本件補正発明は、実質的に、次のとおりのものであると認められる。
　「（１）ブロック共重合体又はその水添物１００質量部に対して、（３）オレフィン系重合体１０〜５００質量部を含有することを特徴とする（１）ビニル芳香族炭化水素を主体とする少なくとも１個の重合体ブロックＡと、共役ジエンを主体とする少なくとも１個の重合体ブロックＢからなり、ビニル芳香族炭化水素含有量が５〜９５ｗｔ％であるブロック共重合体又はその水添物１００質量部と、（２）シリカ系無機充填剤０．５〜５０質量部からなるブロック共重合体組成物において、上記重合体ブロックＡ及び／又は重合体ブロックＢの末端に、エポキシ基、アミノ基、シラノール基、アルコキシシランから選ばれる官能基を少なくとも１個有する原子団が少なくとも１個結合していることを特徴とするブロック共重合体組成物。」
　
（３−２）引用文献の記載事項
　本出願の優先日前に頒布された刊行物であって、原審における拒絶査定の理由に引用された特開平０１−１０１３５７号公報（以下、「引用文献１」という。）には、以下の事項が記載されている。
　ａ．「（ａ）少なくとも１個のビニル芳香族化合物を主体とする重合体ブロックと少なくとも１個の共役ジエン化合物を主体とする重合体ブロックを有し、共役ジエン化合物に基づくビニル結合含有量〔Ｖ〕が８０％以下であるブロック共重合体を水添してなり、
　（１）共役ジエン化合物に基づく脂肪族二重結合部全体の水添率〔Ａ〕が５％以上、７５％未満であり、しかも
　（２）共役ジエン化合物に基づくビニル結合部の水添率〔Ｂ〕が
　　〔Ｂ〕／〔Ｖ〕１／２＝３〜２０
を満足する特定水添化ブロック共重合体、１００重量部、
（ｂ）熱可塑性樹脂５〜１５０重量部
（ｃ）無機充填剤及び／又は有機充填剤１０〜２００重量部
（ｄ）軟化剤　０〜２００重量部からなる組成物。」（特許請求の範囲、第２項）
　ｂ．「本発明の特定水添化ブロツク共重合体のビニル芳香族化合物の含有量は５〜９５重量％、好ましくは１０〜９０重量％、更に好ましくは１５〜８５重量％である。」（第３頁右下欄９〜１２行）
　ｃ．「本発明で使用する水添前のブロック共重合体は、ブロック共重合体の少なくとも１つの重合体鎖末端に極性基含有原子団が結合したブロック共重合体を使用することができる。・・・ここで極性基含有原子団とは、窒素、酸素、ケイ素、リン、硫黄、スズから選ばれる原子を少なくとも１種含有する原子団を云う。具体的には、・・・アミノ基、・・・エポキシ基、・・・等から選ばれる極性基を少なくとも１種含有する原子団があげられる。・・・極性基含有原子団を付与するための末端変性処理剤は、重合体末端のリチウム金属１原子当量に対して０．５〜２モル、好ましくは０．７〜１．３モル使用される。」（第５頁左上欄１６行〜左下欄３行）
　ｄ．「本発明で使用する成分（ｂ）の熱可塑性樹脂は、・・・、ポリエチレン、エチレンを５０％以上含有するエチレンとこれと共重合可能な他のモノマーとの共重合体、例えばエチレン−プロピレン共重合体、エチレン−酢酸ビニル共重合体及びその加水分解物、・・・などである。」（第６ページ左下欄１３行〜第７ページ左下欄１０行）
　ｅ．「本発明のブロック共重合体組成物には無機充填剤及び／又は有機充填剤を配合して使用することができる。それらの具体例としては、炭酸カルシウム、クレー、シリカ、亜鉛華、炭酸マグネシウム、ケイ酸マグネシウム、タルク、ケイ藻土、ドロマイト、雲母粉、硫酸アルミニウム、硫酸バリウム、グラファイト、ガラス繊維、カーボンブラック、・・・などがあげられる。これらはブロック共重合体（ａ）１００重量部当り１〜２００重量部、好ましくは１０〜１５０重量部用いられる。」（第１２頁左上欄４〜１６行）
　ｆ．「実施例１９〜２４及び比較例２１
　窒素ガス雰囲気下において、１，３−ブタジエン１５重量部とスチレン２０重量部を含むシクロヘキサン溶液にｎ−ブチルリチウムを０．１１重量部及びテトラヒドロフランを０．２重量部添加し、７０℃で２時間重合した後、更に１，３−ブタジエン４５重量部とスチレン２０重量部を含むシクロヘキサン溶液を加えて７０℃で２時間重合した。得られた重合体の活性末端に、第５表に示した末端処理剤をそれぞれ重合に使用したｎ−ブチルリチウムと等モル反応させ、スチレン含有量が４０重量％、ブタジエン部のビニル結合含有量が１７％の末端変性ブロツク共重合体を得た。
　次に、上記で得られた末端変性ブロツク共重合体を・・・ロジウム系水素添加触媒で水添し、ブタジエン部全体の水添率が約１５％、ビニル結合部の水添率が約６５％である特定水添化末端変性ブロツク共重合体をそれぞれ得た。」（第１６頁右上欄１〜１９行）
　ｇ．「
」（第１６頁右下欄）
　ｈ．「実施例２５〜２７及び比較例２２〜２４
　重合体の片末端にリチウムが結合した、スチレン含有量１５重量％、イソプレン部のビニル結合（側鎖のビニル基とイソプロペニル基との合計量）含有量が１５％のＳＩＳ構造のブロツク共重合体に、該ブロツク共重合体の重合に使用したブチルリチウムと当モルのテトラグリシジルメタキシレンジアミンを反応させ、末端変性ブロツク共重合体を得た。
  次に、上記で得られた末端変性ブロツク共重合体を前記と同様のロジウム系水素添加触媒で水添し、ブタジエン部全体の水添率が１２％、ビニル結合部の水添率が５０％である特定水添化末端変性ブロツク共重合体を得た。」（第１７頁左上欄１〜１４行）
　ｉ．「実施例３２〜３５
　第９表に示した配合処法に従い、特定水添化ブロツク共重合体と熱可塑性樹脂及びガラス繊維（直径９μｍ、長さ６ｍｍの短繊維）からなる組成物を作製した。得られた組成物の性能を第９表に示した。
　尚、実施例３２で使用した変性特定水添化ブロツク共重合体は、実施例２８〜３０で用いたものと同じ特定水添化ブロツク共重合体にグリシジルメタクリル酸エステルを０．５重量％グラフトさせたものを使用した。又、実施例３５及び３６で使用した変性特定水添化ブロツク共重合体は、無水マレイン酸の付加量が０．３重量％である以外は実施例２８〜３０で用いたものと同じ変性特定水添化ブロツク共重合体を使用した。」（第１８頁左下欄１〜１５行）
　
（３−３）対比・判断
　引用文献１には、記載事項ａ．からみて、「少なくとも１個のビニル芳香族化合物を主体とする重合体ブロックと少なくとも１個の共役ジエン化合物を主体とする重合体ブロックを有し、共役ジエン化合物に基づくビニル結合含有量〔Ｖ〕が８０％以下であるブロック共重合体を水添してなり、
　（１）共役ジエン化合物に基づく脂肪族二重結合部全体の水添率〔Ａ〕が５％以上、７５％未満であり、しかも
　（２）共役ジエン化合物に基づくビニル結合部の水添率〔Ｂ〕が
　　〔Ｂ〕／〔Ｖ〕１／２＝３〜２０
を満足する特定水添化ブロック共重合体１００重量部」と、「無機充填剤１０〜２００重量部」と、「熱可塑性樹脂５〜１５０重量部」とを含む組成物が記載されているものと認められる。
　そして、引用文献１には、記載事項ｂ．からみて、上記「特定水添化ブロック共重合体」のビニル芳香族化合物の含有量は「５〜９５重量％」であることが記載されている。
　次に、引用文献１には、記載事項ｃ．からみて、「水添前のブロック共重合体はブロック共重合体の少なくとも１つの重合体鎖末端に極性基含有原子団が結合したブロック共重合体を使用することできること」及び「極性基含有原子団としては、アミノ基、エポキシ基等から選ばれる極性基を少なくとも１種含有する原子団があげられること」、並びに、記載事項ｆ．、ｇ．及びｈ．には、極性基含有原子団を付与するための「末端処理剤」（記載事項ｃ．における「末端変性処理剤」と同義と認める。）として、１，３−ジメチル−２−イミダゾリジノン、Ｎ，Ｎ’−ジメチルプロピレンウレア及びテトラグリシジルメタキシレンジアミンを用いることが、実施例に具体的に記載されている。
　さらに、引用文献１には、無機充填剤としてガラス繊維が挙げられており（記載事項ｅ．）、その具体的使用についても、記載事項ｉ．のとおり、実施例に記載されている。
　なお、「重量部」と「質量部」とは同義であると解される。
　
　したがって、引用文献１には、次のとおりの発明（以下、「引用発明」という。）が記載されているといえる。
　「少なくとも１個のビニル芳香族化合物を主体とする重合体ブロックと少なくとも１個の共役ジエン化合物を主体とする重合体ブロックを有し、共役ジエン化合物に基づくビニル結合含有量〔Ｖ〕が８０％以下であるブロック共重合体を水添してなり、
　（１）共役ジエン化合物に基づく脂肪族二重結合部全体の水添率〔Ａ〕が５％以上、７５％未満であり、しかも
　（２）共役ジエン化合物に基づくビニル結合部の水添率〔Ｂ〕が
　　〔Ｂ〕／〔Ｖ〕１／２＝３〜２０
を満足する特定水添化ブロック共重合体であって、
　ビニル芳香族化合物の含有量は５〜９５重量％であり、
　さらに、その水添前のブロック共重合体の少なくとも１つの重合体鎖末端に、末端変性処理剤として、１，３−ジメチル−２−イミダゾリジノン、Ｎ，Ｎ’−ジメチルプロピレンウレア又はテトラグリシジルメタキシレンジアミンを反応させて、アミノ基、エポキシ基等から選ばれる極性基を含む極性基含有原子団を結合させているものである、特定水添化ブロック共重合体１００質量部と、
　ガラス繊維１０〜２００質量部と、
　熱可塑性樹脂５〜１５０質量部とを含む組成物。」
　そこで、本件補正発明と、引用発明とを対比する。
　
　まず、本件補正発明に係るブロック共重合体の水添物を構成する「ビニル芳香族炭化水素を主体とする少なくとも１個の重合体ブロックＡ」と「共役ジエンを主体とする少なくとも１個の重合体ブロックＢ」は、それぞれ、引用発明の特定水添化ブロック共重合体を構成する「少なくとも１個のビニル芳香族化合物を主体とする重合体ブロック」と「少なくとも１個の共役ジエン化合物を主体とする重合体ブロック」に相当する。
　本件補正発明に係る「ブロック共重合体の水添物」は、ビニル芳香族炭化水素含有量が５〜９５ｗｔ％であるブロック共重合体の水添物であるのに対して、引用発明に係る「特定水添化ブロック共重合体」では、そのビニル芳香族化合物の含有量が５〜９５重量％とされている。しかし、引用発明に係る「特定水添化ブロック共重合体」中のビニル芳香族化合物の含有量が５〜９５重量％であるものについては、その水添前のブロック共重合体中のビニル芳香族炭化水素含有量（重量％）が、本件補正発明に係るブロック共重合体中のビニル芳香族炭化水素含有量と広い範囲で重複することは自明であり、また、引用文献１には、実施例において、水添前のスチレン含有量が４０重量％（記載事項ｆ．）又は１５重量％（記載事項ｈ．）である末端変性ブロック共重合体を用いることが具体的に明記されていることから、本件補正発明と引用発明とは、ブロック共重合体中のビニル芳香族化合物含有量の点において、実質上、相違するものではない。
　次に、本件補正発明に係るブロック共重合体の水添物は、「重合体ブロックＡ及び／又は重合体ブロックＢの末端に、エポキシ基、アミノ基、シラノール基、アルコキシシランから選ばれる官能基を少なくとも１個有する原子団が少なくとも１個結合している」なる事項を備えるものである。かかる事項に関して、本件補正明細書には、次のとおり記載されている。
　「本発明で使用する（１）ブロック共重合体は、重合体ブロックＡ及び／又は重合体ブロックＢに、水酸基、エポキシ基、アミノ基、シラノール基、アルコキシシランから選ばれる官能基を少なくとも１個有する原子団が少なくとも１個結合しているブロック共重合体又はその水添物である。かかる官能基を有する原子団が結合しているブロック共重合体を得る方法は、ブロック共重合体のリビング末端に、官能基を有する原子団が結合している変性剤、あるいは官能基を公知の方法で保護した原子団が結合している変性剤を反応させる方法が挙げられる。・・・」（段落【００１９】）
　「本発明において、水酸基、エポキシ基、アミノ基、シラノール基、アルコキシシランから選ばれる官能基を少なくとも１個有する原子団が少なくとも１個結合しているブロック共重合体を得るために使用する変性剤としては、例えば、テトラグリシジルメタキシレンジアミン、・・・１，３−ジメチル−２−イミダゾリジノン、・・・Ｎ，Ｎ’−ジメチルプロピレンウレア、・・・等が挙げられる。」（段落【００２２】）
　してみると、引用発明に係る「その水添前のブロック共重合体の少なくとも１つの重合体鎖末端に、末端変性処理剤として、１，３−ジメチル−２−イミダゾリジノン、Ｎ，Ｎ’−ジメチルプロピレンウレア、又はテトラグリシジルメタキシレンジアミンを反応させて、極性基含有原子団を結合させているものである、特定水添化ブロック共重合体」なる事項は、用いられる末端変性処理剤が本件補正明細書に具体的に記載されたとおりのものであるから、本件補正発明に係る「重合体ブロックＡ及び／又は重合体ブロックＢの末端に、エポキシ基、アミノ基、シラノール基、アルコキシシランから選ばれる官能基を少なくとも１個有する原子団が少なくとも１個結合している」なる上記事項を満足するものであると解される。
　そして、引用発明では、「特定水添化ブロック共重合体」について、「共役ジエン化合物に基づくビニル結合含有量」、「共役ジエン化合物に基づく脂肪族二重結合部全体の水添率」及び「共役ジエン化合物に基づくビニル結合部の水添率」を、それぞれ一定の数値範囲のものに限定しているが、本件補正発明に係るブロック共重合体の水添物においては、引用発明の「特定水添化ブロック共重合体」に係る上記各数値範囲条件について何ら特定するものではない。
　以上のとおりであるから、引用発明に係る「特定水添化ブロック共重合体」は、実質上、本件補正発明に係る「ブロック共重合体の水添物」に相当する。
　
　次に、本件補正発明に係る「シリカ系無機充填剤」について検討するに、本件補正明細書には、次のとおり記載されている。
　「本発明においては、（２）シリカ系無機充填剤としては、化学式ＳｉＯ２、又はＳｉ３Ａｌを構成単位の主成分とする固体粒子のことをいい、例えばシリカ、クレイ、タルク、マイカ、ウォラストナイト、モンモリロナイト、ゼオライト、ガラス繊維等の無機繊維状物質などを用いることができる。・・・」（段落【００３３】）
　「本発明においてはシリカ及びガラス繊維が好ましく、・・・」（段落【００３４】）
　してみると、上記記載から、本件補正発明においては、「ガラス繊維」は「シリカ系無機充填剤」としての好ましい態様であると理解できるものであるから、引用発明において配合しているガラス繊維は、本件補正発明に係る「シリカ系無機充填剤」に相当する。
　そして、引用発明において、「特定水添化ブロック共重合体」１００質量部に対する「ガラス繊維」の配合量は１０〜２００質量部であって、かかる配合量比は、本件補正発明における、ブロック共重合体の水添物１００質量部に対する「シリカ系無機充填剤」の配合量０．５〜５０質量部と重複するものである。
　なお、本件補正後の特許請求の範囲の請求項５においては、「シリカ系無機充填剤」として「ガラス繊維」を削除しているが、本件補正明細書における段落【００３３】及び【００３４】の記載は変更されず、上記のとおりであるから、かかる削除によって、本件補正発明に係る「シリカ系無機充填剤」の技術的範囲が影響するものとはいえない。
　
　さらに、本件補正発明に係る「オレフィン系重合体」について検討するに、引用発明は、「特定水添化ブロック共重合体」と「ガラス繊維」とに加えて、「特定水添化ブロック共重合体」１００質量部に対して５〜１５０質量部の熱可塑性樹脂を含む組成物であるところ、記載事項ｄ．からみて、引用発明に係る「熱可塑性樹脂」は本件補正発明に係る「オレフィン系重合体」に相当することは明らかであり、また、引用発明に係る「熱可塑性樹脂」の配合量比についても、本件補正発明における、ブロック共重合体又はその水添物１００質量部に対する「オレフィン系重合体」の配合量１０〜５００質量部と重複するものである。
　してみると、引用発明に係る「熱可塑性樹脂」は、実質上、本件補正発明に係る「オレフィン系樹脂」に相当する。
　
　＜小括＞
　上記検討のとおりであるから、本件補正発明は、引用文献１に記載された発明であるといえるので、特許法第２９条第１項第３号に該当し、特許出願の際独立して特許を受けることができないものである。
　
（４）まとめ
　以上のとおり、本件補正は、特許法第１７条の２第５項において準用する同法第１２６条第５項の規定に違反するので、同法第１５９条第１項において読み替えて準用する同法第５３条第１項の規定により却下すべきものである。
　
　
第３．拒絶査定に対する判断
　
１．本願発明
　上記第２．のとおり、平成１９年６月２０日付けの手続補正は、決定をもって却下された。
　したがって、本願請求項２に係る発明（以下、「本願発明」という。）は、本件補正前明細書の特許請求の範囲の請求項２に記載された事項により特定される、次のとおりのものである。
　「【請求項２】　上記（１）ブロック共重合体又はその水添物１００質量部に対して、（３）オレフィン系重合体１０〜５００質量部を含有することを特徴とする請求項１記載のブロック共重合体組成物」
　ここで、請求項１記載のブロック共重合体組成物とは、本件補正前明細書の特許請求の範囲の請求項１に記載の、下記のとおりである。
　「【請求項１】　（１）ビニル芳香族炭化水素を主体とする少なくとも１個の重合体ブロックＡと、共役ジエンを主体とする少なくとも１個の重合体ブロックＢからなり、ビニル芳香族炭化水素含有量が５〜９５ｗｔ％であるブロック共重合体又はその水添物１００質量部と、（２）シリカ系無機充填剤又は／及び金属酸化物０．５〜５０質量部からなるブロック共重合体組成物において、上記重合体ブロックＡ及び／又は重合体ブロックＢの末端に、エポキシ基、アミノ基、シラノール基、アルコキシシランから選ばれる官能基を少なくとも１個有する原子団が少なくとも１個結合していることを特徴とするブロック共重合体組成物。」
　してみれば、本願発明は、実質的に、次のとおりのものであると認められる。
　「（１）ブロック共重合体又はその水添物１００質量部に対して、（３）オレフィン系重合体１０〜５００質量部を含有することを特徴とする（１）ビニル芳香族炭化水素を主体とする少なくとも１個の重合体ブロックＡと、共役ジエンを主体とする少なくとも１個の重合体ブロックＢからなり、ビニル芳香族炭化水素含有量が５〜９５ｗｔ％であるブロック共重合体又はその水添物１００質量部と、（２）シリカ系無機充填剤又は／及び金属酸化物０．５〜５０質量部からなるブロック共重合体組成物において、上記重合体ブロックＡ及び／又は重合体ブロックＢの末端に、エポキシ基、アミノ基、シラノール基、アルコキシシランから選ばれる官能基を少なくとも１個有する原子団が少なくとも１個結合していることを特徴とするブロック共重合体組成物。」
　
２．原査定の拒絶の理由の概要
　原審において拒絶査定の理由とされた、平成１８年２月２１日付け拒絶理由通知書に記載した理由１の概要は、以下のとおりである。
　
　「１．この出願の下記の請求項に係る発明は、その出願前に日本国内又は外国において、頒布された下記の刊行物に記載された発明又は電気通信回線を通じて公衆に利用可能となった発明であるから、特許法第２９条第１項第３号に該当し、特許を受けることができない。
　
　　　　　記　　　（引用文献等については引用文献等一覧参照）
　・請求項　　　１−５
　・引用文献等　１−７
　（中略）
　　　　　　　　　　　引　用　文　献　等　一　覧
　　１．特開平０１−１０１３５７号公報
 　（以下、引用文献２〜７略）」
　
３．当審の判断
　原査定の拒絶の理由で引用された引用文献１である特開平０１−１０１３５７号公報の記載事項は、上記第２．２．（３−２）に記載した内容と同じである。
　本願発明は、上記第２．で検討した本件補正発明において、「（２）シリカ系無機充填剤」に「又は／及び金属酸化物」なる事項を加え、かかる事項を発明を特定するために必要な事項として備えたものである。
　してみると、本願発明と本件補正発明との関係において、両者は「（２）シリカ系無機充填剤」との事項において共通するものであり、本件補正発明が、上記第２．のとおり、引用文献１に記載された発明であるから、本願発明も、同一の理由により、引用文献１に記載された発明である。
　
第４．むすび
　以上のとおりであるから、本願発明は、特許法第２９条第１項第３号に該当し、特許を受けることができない。
　したがって、他の請求項に係る発明について検討するまでもなく、本願は拒絶すべきものである。
　よって、結論のとおり審決する。